(57)【要約】【課題】  ストロボの昇圧回路でＦＥＴを使用した自励フライバックコンバータである。ＦＥＴ回路基本形と複数の制御端子により発振を制御するものを含む。【解決手段】  電池電圧をトランスとスイッチ素子により昇圧するストロボ用フライバックコンバータで、フィードバック巻線の起電力で動作するトランジスタをゲート素子を介して昇圧用前記スイッチ素子を駆動させる。【選択図】        図１
2006156199.tif 000002
【特許請求の範囲】
【請求項１】
第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と第２のスイッチ素子の動作に応じて駆動されるゲート素子により構成され第１のスイッチ素子の発振を行うことを特徴とするストロボ装置。
【請求項２】
前記第１のスイッチ素子はＦＥＴであることを特徴とする請求項１に記載のストロボ装置。
【請求項３】
前記第２のゲート素子はＣＭＯＳインバータであることを特徴とする請求項１に記載のストロボ装置。
【請求項４】
第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と複数の入力端子を有するゲート素子により構成され、前記第２のスイッチ素子の出力が前記ゲート素子の一端へ接続され、前記ゲート素子の出力が第１のスイッチ素子の制御端子に接続され、前記ゲート素子の他の入力端子と共に複数のゲート入力端子の制御により発振をすることを特徴とするストロボ装置。
【請求項５】
前記第１のスイッチ素子はＦＥＴであることを特徴とする請求項４に記載のストロボ装置。
【請求項６】
前記第２のゲート素子はＣＭＯＳ論理回路であることを特徴とする請求項４に記載のストロボ装置。
【発明の詳細な説明】
【技術分野】
【０００１】
本発明はカメラに使用されるストロボ装置に関するものである。
【背景技術】
【０００２】
最近の銀塩カメラやデジタルカメラなどではストロボ装置が組み込まれているものが一般化している。また、電池も小型になりこのため撮影回数を増すためにストロボ装置もフォワードコンバータからより効率の良いフライバックコンバータを使用する傾向にある。発振素子としては動作抵抗Ｒｏｎの低いＦＥＴが出てきているものの、従来のカメラに内蔵されるストロボ装置では発振素子にトランジスタを使用した自励発振のものが一般的であり、ＦＥＴを使用するものは他励方式が多かった。このため電源電圧が低いたとえば３Ｖ程度の電池などの場合トランジスタの動作飽和電圧が充電時間に影響しＦＥＴで構成される回路に対して効率が上げられない問題やＦＥＴに対して電流容量の大きなトランジスタではスイッチング動作が遅いため高い周波数で制御出来ずトランスの１次インダクタンスが比較的大きく設定することとなりトランスの小型化が難しい問題があった。
【特許文献１】特開２０００−３１４９０９号公報
【発明の開示】
【発明が解決しようとする課題】
【０００３】
しかしながら、トランジスタを使用する場合はフィードバック巻線に発生する電圧により抵抗及びコンデンサを介して電流帰還を簡単に掛けられるが、ＦＥＴを使用する場合には電圧としてゲート電極に与えるため回路が複雑になった。また、自励回路の場合には安全に駆動させることも必要となった。
【０００４】
本発明は、以上の点に着目して成されたもので、ＦＥＴを使用したフライバック回路を安価に構成でき、不容易に発振が行われない回路を提供することができ、またコンバータの効率アップやトランスの小型化にも有効なストロボ装置を提供することを目的とする。
【課題を解決するための手段】
【０００５】
本発明は簡単な構成でＦＥＴを使用した自励発振させることを目的としており、第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と第２のスイッチ素子の動作に応じて駆動されるゲート素子により構成され第１のスイッチ素子の発振を行う簡単な構成でＦＥＴを使用したフライバック回路を構成し、
また、安全を考慮して第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と複数の入力端子を有するゲート素子により構成され、前記第２のスイッチ素子の出力が前記ゲート素子の一端へ接続され、前記ゲート素子の出力が第１のスイッチ素子の制御端子に接続され、前記ゲート素子の他の入力端子と共に複数のゲート入力端子の制御により発振をさせることで不容易に発振が行われない回路を構成している。
【発明の効果】
【０００６】
本発明は簡単な構成でＦＥＴを使用した自励発振させることを目的としており、第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と第２のスイッチ素子の動作に応じて駆動されるゲート素子により構成され第１のスイッチ素子の発振を行う簡単な構成でＦＥＴを使用したフライバック回路を安価に構成できた。
【０００７】
また、安全を考慮して第１のスイッチ素子とトランスにより電池電源を昇圧し主コンデンサを充電するフライバック自励回路を有すストロボ装置において、トランスのフィードバック巻線に発生する電位に応じて導通／非導通となる第２のスイッチ素子と複数の入力端子を有するゲート素子により構成され、前記第２のスイッチ素子の出力が前記ゲート素子の一端へ接続され、前記ゲート素子の出力が第１のスイッチ素子の制御端子に接続され、前記ゲート素子の他の入力端子と共に複数のゲート入力端子の制御により発振をさせることで不容易に発振が行われない回路を提供することが出来た。
【０００８】
更には、ＦＥＴを使用することでコンバータの効率アップやトランスの小型化にも有効なものとなった。
【発明を実施するための最良の形態】
【０００９】
以下本発明を実施するための最良の形態を、実施例により詳しく説明する。
【実施例１】
【００１０】
図１に本発明の実施例の回路ブロック図を示す。
【００１１】
ストロボ装置及びカメラ制御部との構成を説明すれば、１は電源であるところの電池、２は電池１と並列に接続された電源コンデンサ、３はコンデンサ、４、６は抵抗、５はダイオード、７，８は抵抗、９はトランジスタで、コンデンサ３が抵抗６と直列に接続されこの回路が後述するトランスのフィードバック巻線Ｆとトランジスタ９のベースに接続されている。ダイオード５と抵抗７は並列に接続されダイオード５のアノードがトランジスタ９のエミッタへ、カソードがベースに接続されている。抵抗８はトランジスタ９のプルアップ抵抗である。
【００１２】
１０はゲート素子、１１は抵抗、１２はスイッチ素子、１３はトランスで１次巻線Ｐ、２次巻線Ｐ、フィードバック巻線Ｆを有する。１４は高圧整流用ダイオード、１５は主コンデンサで、ゲート素子１０の出力がスイッチ素子１２の制御電極に接続されている。トランス１３の１次巻線はスイッチ素子１２を介して電池１と並列に接続されている。２次巻線Ｓは高圧整流用ダイオード１４を介して主コンデンサ１５に接続されている。１６は電圧検出回路、１７はトリガ回路、１８は放電管でそれぞれ主コンデンサ１５に並列に接続されている。トリガ回路１７の出力は放電管１８の透明なトリガ電極に印加されるよう接続されている。１９はカメラ制御部である。ａ〜ｃはカメラ回路部１９との接続ラインである。
【００１３】
カメラ制御部１９内のブロック構成を説明すれば１２０は定電圧ブロックである。１２５はマイクロコンピュータで（以下マイコンと呼ぶ）ＥＥＰＲＯＭ、Ａ／Ｄ、Ｄ／Ａコンバータ等からなる。低電圧ブロック１２０はマイコン１２５とＶＣＣＥＮ端子を介して接続されている。１２１はスイッチ検出回路ブロックで電池またはＶＤＤ電源により作動して各スイッチの状態や変化などの情報をラインＳＷＤを介してマイコン１２５へ伝達する様構成される。１２２は温度検出回路ブロックでＴＨＥＮラインからのイネーブル信号にて温度データをＴＨＤラインを介してマイコン１２５へ伝達する。
【００１４】
１２３はフィルム感度及び駒数などの情報を得るフィルム感度検出ブロックでＦＬＭＥＮラインからの信号にてフィルムのデータをＦＬＭＤラインを介してマイコン１２５へ伝達する、１２４はバッテリーの情報を得るバッテリーチェック回路ブロックでＢＡＴＣＫラインからの信号により、ＢＡＴＤラインを介してマイコン１２５へ電池１の情報を伝達する、１２６はシャッター駆動回路ブロックでＳＨＤＲＶラインの出力信号にてシャッター駆動の制御を行う。
【００１５】
１２７は測距回路ブロックでＡＦＥＮラインからのイネーブル信号にて測距データをＡＦＤラインを介してマイコン１２５へ伝達する、１２８は測光回路ブロックでありＡＥＥＮラインからのイネーブル信号にて測光データをＡＥＤラインを介してマイコン１２５へ伝達する。１２９は表示ブロックであり、例えばラインＤＩＳＰを介してＬＣＤ等に必要な情報を表示するものである。１３０はレンズを駆動するためのレンズ駆動回路でありＬＮＳＤＲＶラインンからの信号にてレンズの制御を行う。１３１はフィルムを給送するためのフィルム駆動回路でありＦＩＬＭＤＲＶラインからの信号にてフィルムの駆動を制御する。
【００１６】
以上の様な構成に於いて、図２のフローチャートに従い動作の説明を行う。ここでは、カメラ制御部１９側の電源はすでに投入された状態であり、マイコン１２５は低消費モードとなっていて動作が停止しているものとして説明を行う。
【００１７】
スイッチ検知回路ブロック１２０内の図示しない電源スイッチが投入されるとマイコン１２５が低消費モードから復帰し作動を開始する。マイコン１２５は定電圧回路ブロック１２０にＶＣＣＥＮ端子を介して信号を与え定電圧回路ブロックは電池１の電荷を昇圧させ定電圧化した電源であるＶｃｃを各回路ブロックに供給する。
【００１８】
ここで図２のフローチャートに従えば、撮影準備を行う為のレリーズボタン（不図示）の半押し状態である第一ストロークスイッチＳＷ１が押されるのを待ち（Ｓ１）、スイッチ信号が発生すると分岐し、所定のカウンタをリセットし（Ｓ２）、更にバッテリーチェック回路ブロック１２４へＢＡＴＣＫラインを介して信号を与えＢＡＴＤラインから電池情報を得る（Ｓ３）、この電池情報によりカメラの撮影に必要な電源状態にあるか無いかを判断し（Ｓ４）、充分で無い場合はＳ１に戻り、電源が充分と判断されると端子ＡＦＥＮに信号を与え測距回路ブロック１２７を作動させて被写体までの距離を測距しラインＡＦＤを介してこの情報を得る（Ｓ５）。
【００１９】
続いてラインＡＥＥＮに信号を送ることで被写体の輝度を測定し、この情報をラインＡＥＤを介してマイコン１２５に与える（Ｓ６）。そして、この輝度データと１２３のフィルム感度検知回路から得られたフィルムの感度情報を加味し被写体輝度が所定輝度より明るいか暗いかを判定し（Ｓ７）、輝度が低い場合にはフラッシュモードに進む（Ｓ８）。フラッシュモードではストロボの充電を行う。
【００２０】
ここでフラッシュモードの動作についての説明を図３のフローチャートに従い行う。
【００２１】
ここでは先ず、充電時間が非常に長くなった場合に充電を打ち切るためのタイマーである充電タイマー例えば１０〜１５秒程度の時間であるタイマーをセット（Ｓ１０１）し、充電を開始する為、図１に示すカメラ制御部１９から接続ラインａにハイレベルである起動信号を与える（Ｓ１０２）。
【００２２】
図４は各部の波形で、４−ａはトランス１３の１次巻線Ｐの１次電流、４−ｂは２次巻線Ｓの２次電流、４−ｃは前述の接続端子ａ、４−ｄはゲート素子１０の出力と同様スイッチ素子１２の制御電極のそれぞれの電圧を示している。４−ｃで接続ラインａがハイレベルとなると、抵抗４を介してトランジスタ９のベース電流が流れトランジスタ９はオンし４−ｄの様にゲート素子１０の出力はハイとなりスイッチ素子１２は導通する。
【００２３】
このため４−ａに示すようにトランス１３の１次電流がながれる。起動信号は抵抗４で弱い電流値に限流されているが、１次電流が流れることで２次巻線Ｓ及びフィードバック巻線Ｆには起電力が発生する。２次巻線Ｓに発生する起電力はダイオード１４により放電を阻止されている。前記フィードバック巻線Ｆの起電力によりコンデンサ３、抵抗６を介してトランジスタ９のベース電流が加算されながれる。１次電流が増加しトランス１３が飽和に近づくとトランス１３のフィードバック巻線Ｆよりコンデンサ３及び抵抗６を介して流れる電流が減少しトランジスタ９はオフなる従ってトランジスタ９のコレクタ電位はハイレベルとなる。
【００２４】
このため、ゲート素子１０の入力がハイレベルとなることから出力はロウレベルとなりスイッチ素子１２は非導通となって１次巻線Ｐの電流が停止する。このことにより２次巻線Ｓ、フィードバック巻線Ｆには逆起電力が発生しダイオード５、抵抗６、コンデンサ３を介してトランジスタ９のべースに逆バイアスを印加する。抵抗４で限流抵抗されていた電流も同様にフィードバック巻線Ｆへバイパスし流れてしまうことからトランジスタ９は非導通を維持される。
【００２５】
この時２次巻線Ｓには逆起電力が発生し高圧整流用ダイオード１４で阻止されていたトランス１３に蓄えられたエネルギーが４−ｂに示すよう放出し高圧整流用ダイオード１４を介して主コンデンサ１５に蓄積される。トランス１４のエネルギーが放出されると再び抵抗４を介して接続ラインａからトランジスタ９のベース電流が与えられトランジスタ９は導通しゲート素子１０の入力はロウレベルとなるため出力がハイレベルとなりスイッチ素子１２の制御電極にハイレベル信号が与えられスイッチ素子１２が導通しトランス１３に再び１次電流が流れる。これを繰り返して主コンデンサ１５は充電される。
【００２６】
以上のように昇圧動作が行われ主コンデンサ１５の電位は上昇する。主コンデンサ１５の充電電圧は電圧検出回路１６の出力電圧にて接続ラインｂを介して検出出来る。
【００２７】
図３のフローチャートに戻り主コンデンサ１５が所定電圧以下ではＳ１０４へ移行し充電タイマーを確認する。充電タイマーがカウントアップ以前であれば再びＳ１０３に戻る。所定の電圧に達するとへ移行し充電完了のフラグを立てる（Ｓ１０５）。主コンデンサ１５の充電完了の所定電圧になる前に充電タイマーがカウントアップすると充電ＮＧフラグを立てて（Ｓ１０８）、接続ラインａから与えられていたハイレベル信号を停止しトランジスタ９の駆動を停止しゲート素子の出力をロウレベルとして充電を終了する（Ｓ１０６）。そして充電タイマーをリセットして（Ｓ１０７）、もとの図２のルーチンに戻る。
【００２８】
フラッシュモードを抜けると、フラッシュモード゛図３で立てたＳ１０５、Ｓ１０８でのフラグを確認する。充電が完了していないＮＧの場合はＳ１に戻り、ＯＫで有ればＳ１０へ進む（Ｓ９）。
【００２９】
次にスイッチ（不図示）の第二ストローク（全押し操作）が入ると（Ｓ１０）。Ｓ５での測距データに基づきレンズ駆動回路ブロック１３０をラインＬＮＳＤＲＶを介し制御して焦点調整を行う（Ｓ１１）。さらに、Ｓ６で得られた被写体の輝度とフィルム感度データからの条件によりシャター開口を行うため、シャッター駆動回路ブロック１２６をラインＳＨＤＲＶを介して制御する。この時、主被写体の輝度が低くストロボ装置が必要な場合には測距データとフィルム感度により適正な絞り値でストロボ装置を発光させる（Ｓ１２）。
【００３０】
ストロボ装置の発光は図１のラインｃにハイレベル信号を与えて行う。端子ｃにハイレベル信号が与えられると、トリガ回路ブロック１７の出力端子には高圧のパルス電圧が発生する。この高圧パルスは放電管１８の透明なトリガ電極に与えられ、放電管１８は励起される。このため一気に放電管１８のインピーダンスは低下し、主コンデンサ１５の充電エネルギーを放電し光エネルギーーに変換する。この光で被写体を照明する。そして、ストロボ装置を使用した場合フラッシュのフラグをリセットする。
【００３１】
シャッターが閉成されると、焦点位置にあったレンズをラインＬＺＳＤＲＶを介して制御し初期位置に戻す（Ｓ１３）。そして、フィルム駆動回路ブロック１３１をラインＦＩＬＭＤＲＶを介して制御し撮影の終了したフィルムを１駒分巻き上げる（Ｓ１４）。
【００３２】
次に、ストロボ装置を使用した事を示すＳ１５でのフラッシュフラグのリセットを確認し（Ｓ１５）。ここでリセットされている時はフラッシュモードにして前記Ｓ８と同様に主コンデンサ１５の充電を行って一連のシーケンスを終了する（Ｓ１６）。尚、閃光装置を使用しない場合にはＳ１６を通過しＳ１に戻り一連のシーケンスを終了する。
【００３３】
本実施例では、トランスのフィードバック巻線Ｆに発生する起電力により導通／非導通状態となるトランジスタ９の出力をゲート素子１０を介してスイッチ素子１２に与えることで発振動作を制御している。
【実施例２】
【００３４】
図５に第２の実施例を示す。カメラ制御部１９内は図１で示した構成と同様であるため、ここでは省略し図示した。また、前述の実施例と同様な機能を有するものは同一の符号にて示している。ここではストロボ装置の構成と動作に関して説明を行う。
【００３５】
図１と異なる構成を説明すれば２２は複数の入力を有するゲート素子、２１は抵抗でゲート素子２２の入力のプルアップ抵抗である、一方の入力端子はトランジスタ９のコレクタに接続されている。接続ラインｄがゲート素子２２の入力の一方に接続されている。
【００３６】
この様な構成でストロボ装置の動作の説明を行う。この動作の説明は図３に示すフラッシュシーケンスに従い説明する。ここでは先ず、充電時間が非常に長くなった場合に充電を打ち切るためのタイマーをセット（Ｓ１０１）し、充電を開始する為、カメラ制御部１９から接続ラインａにハイレベル、接続ラインｄにロウレベルである信号とを与え発振を開始する（Ｓ１０２）。
【００３７】
ここで図６は各部の波形で、６−ａはトランス１３の１次巻線Ｐの１次電流、６−ｂは２次巻線Ｓの２次電流、６−ｃは前述の接続ラインａ、６−ｄはゲート素子２２の入力及びスイッチ素子１２の制御電極の電圧波形、６−ｅは接続ラインｄのそれぞれの電圧を示している。６−ｃで接続ラインａがハイレベル、６−ｅの接続ラインｄがロウレベルとなると、抵抗４を介してトランジスタ９のベース電流となりトランジスタ９はオンしコレクタ電位がロウレベルとなりゲート素子２２の入力がそれぞれロウレベルとなる。
【００３８】
このことでゲート素子２２の出力は６−ｄの様にハイレベルとなりスイッチ素子１２の制御電極に与えられスイッチ素子１２は導通する。このため６−ａに示すように電池１よりトランス１３の１次電流が流れる。起動信号は抵抗４で弱い電流値に限流されている。１次電流が流れることで２次巻線Ｓ及びフィードバック巻線Ｆには起電力が発生しする。２次巻線Ｓに発生する起電力はダイオード１４により放電を阻止されている。
【００３９】
前記フィードバック巻線Ｆの起電力によりコンデンサ３抵抗６を介してトランジスタ９のベース電流が加算されながれる。１次電流が増加しトランス１３が飽和に近づくとのフィードバック巻線Ｆからの起電力も低下しコンデンサ３、抵抗６を介してトランジスタ９のべースに与えられていた電流が減少しトランジスタ９がオフとなる。このためコレクタ電位がハイレベルとなりゲート素子２２の入力がハイレベルとなることからゲート素子２２の出力はロウレベルとなりスイッチ素子１２の制御電極がロウレベルとなることからトランス１３の２次巻線Ｓ、フィードバック巻線Ｆには逆起電力が発生する。
【００４０】
このためフィードバック巻線Ｆに発生した起電力はダイオード５、抵抗６、コンデンサ３を介して流れ、抵抗４で限流抵抗されていた電流も同様にフィードバック巻線Ｆへバイパスしてしまう。この時２次巻線Ｓにも逆起電力が発生することから高圧整流用ダイオード１４で阻止されてトランス１３に蓄えられたエネルギーは６−ｂに示すよう放出し高圧整流用ダイオード１４を介して主コンデンサ１５に蓄積される。
【００４１】
トランス１３のエネルギーが放出されるとフィードバック巻線Ｆへバイパスされていたベース電流がトランジスタ９のベース電流として再び与えられトランジスタ９は導通し再度両方の入力がロウレベルとなり、ゲート素子２２の出力はハイレベルとなりスイッチ素子１２の制御電極にハイレベル信号が与えられ、スイッチ素子１２が導通しトランス１３に再び電池１より１次電流が流れる。これを繰り返して主コンデンサ１５は充電される。
【００４２】
以上のように昇圧動作が行われ主コンデンサ１５の電位は上昇する。主コンデンサ１５の充電電圧は電圧検出回路１６の出力電圧にて接続ラインｂを介してマイコン内のＡ／Ｄコンバータにより検出出来る。図３のフローチャートに戻り主コンデンサ１５が所定電圧以下ではＳ１０４へ移行し充電タイマーを確認する。充電タイマーがカウントアップ以前であれば再びＳ１０３に戻る、所定の電圧に達するとへ移行し充電完了のフラグを立てる（Ｓ１０５）。主コンデンサ１５の充電完了の所定電圧になる前に充電タイマーがカウントアップすると充電ＮＧフラグを立てて（Ｓ１０８）、接続ラインｄ及び接続ラインａからのトランジスタ９の駆動信号を停止しゲート素子２２の出力をロウレベルとしてスイッチ素子１２をオフさせ充電を終了する（Ｓ１０６）。そして充電タイマーをリセットして（Ｓ１０７）、もとの図２のルーチンに戻る。
【００４３】
本実施例では、トランスのフィードバック巻線Ｆに発生する起電力により導通／非導通状態となるトランジスタ９と複数の入力を有するゲート素子２２を介してスイッチ素子１２を制御しているため万一にゲート素子の入力の一方がプルアップ抵抗８及び２１の接触不良やトランジスタ９の不具合などにおいても起動がかかることなくスイッチ素子１２が導通を維持してしまうようなトラブルを回避可能である。
【実施例３】
【００４４】
図７に第３の実施例を示す。カメラ制御部１９内は図１で示した構成と同様であるため、ここでは省略し図示した。また、前述の実施例と同様な機能を有するものは同一の符号にて示している。ここではストロボ装置の構成と動作に関して説明を行う。
【００４５】
図５の実施例と異なる構成を説明すれば２３はコンデンサが抵抗６と並列に挿入されている。第２の実施例では抵抗４を介してトランジスタ９のベースを制御することで接続ラインｄと共に発振を制御したがここでは接続ラインａがトランジスタ９のコレクタ即ちゲート素子２２の入力に直接接続されている。
【００４６】
ここで図８は各部の波形で、８−ａはトランス１３の１次巻線Ｐの１次電流、８−ｂは２次巻線Ｓの２次電流、８−ｃは前述の接続ラインａ、８−ｄはゲート素子２２の入力及びスイッチ素子１２の制御電極の電圧波形、８−ｅは接続ラインｄのそれぞれの電圧を示している。８−ｃで接続ラインａをロウレベルさらに８−ｅの接続ラインｄがロウレベルとなると、ゲート素子２２はハイレベルの出力をスイッチ素子１２の制御電極に与えスイッチ素子１２はオンとなる。このため８−ａに示すように電池１よりトランス１３の１次電流が流れる。
【００４７】
１次電流が流れることで２次巻線Ｓ及びフィードバック巻線Ｆには起電力が発生しする。２次巻線Ｓに発生する起電力はダイオード１４により放電を阻止されている。前記フィードバック巻線Ｆの起電力によりコンデンサ３、コンデンサ２３及び抵抗６を介してトランジスタ９のベース電流が流れる。所定時間後に接続ラインａをハイレベルとするとゲート素子２２の出力はロウレベルとなりスイッチ素子１２の制御端子がロウレベルとなることからスイッチ素子１２はオフとなる。
【００４８】
このため、トランス１３の２次巻線Ｓ、フィードバック巻線Ｆには逆起電力が発生する。フィードバック巻線Ｆに発生した逆起電力はダイオード５、コンデンサ２３及び抵抗６、コンデンサ３を介して流れトランジスタ９のベースエミッタ間を逆バイアスしトランジスタ９をオフにする。この時２次巻線Ｓにも逆起電力が発生することから高圧整流用ダイオード１４で阻止されてトランス１３に蓄えられたエネルギーは８−ｂに示すよう放出し高圧整流用ダイオード１４を介して主コンデンサ１５に蓄積される。
【００４９】
トランス１３のエネルギーが放出されるとフィードバック巻線Ｆの逆起電力によりコンデンサ３及び２３に蓄積された電荷が逆起電力の消滅によりトランジスタ９のベースを介して放電するためトランジスタは再びオンとなる。トランジスタ９がオンとなると、コレクタ電位がロウレベルとなりゲート素子２２の入力がそれぞれロウレベルとなる。このことでゲート素子２２の出力は８−ｄの様に再びハイレベルとなりスイッチ素子１２の制御電極に与えられスイッチ素子１２は導通する。
【００５０】
このため８−ａに示すように再び電池１よりトランス１３の１次電流が流れる。１次電流が流れることで２次巻線Ｓ及びフィードバック巻線Ｆには起電力が発生しする。２次巻線Ｓに発生する起電力はダイオード１４により放電を阻止されている。前記フィードバック巻線Ｆの起電力によりコンデンサ３抵抗６を介してトランジスタ９のベース電流が流れる。１次電流が増加しトランス１３が飽和に近づくとのフィードバック巻線Ｆからの起電力も低下しコンデンサ３、抵抗６を介してトランジスタ９のべースに与えられていた電流が減少しトランジスタ９がオフとなる。
【００５１】
起動信号は接続ラインａで数μ秒程度の所定時間ロウレベルとして与えられたが以後は第２の実施例と同様トランス１３の飽和動作に係わる時間で停止する。トランジスタ９がオフとなるとコレクタ電位がハイレベルとなりゲート素子２２の入力がハイレベルとなることからゲート素子２２の出力はロウレベルとなる。即ち、スイッチ素子１２の制御電極がロウレベルとなることからトランス１３の２次巻線Ｓ、フィードバック巻線Ｆには逆起電力が発生する。このフィードバック巻線Ｆに発生した逆起電力はダイオード５、コンデンサ２３及び抵抗６、コンデンサ３を介して流れトランジスタ９のベースとエミッタ間を逆バイアスしてトランジスタをオフとする。この時２次巻線Ｓにも逆起電力が発生することから高圧整流用ダイオード１４で阻止されてトランス１３に蓄えられたエネルギーは８−ｂに示すよう再び放出され高圧整流用ダイオード１４を介して主コンデンサ１５に蓄積される。
【００５２】
トランス１３のエネルギーが放出されるとフィードバック巻線Ｆの逆起電力によりコンデンサ３及び２３に蓄積された電荷が逆起電力の消滅によりトランジスタ９のベースを介して放電するためトランジスタは再びオンとなる。これを繰り返して主コンデンサ１５は充電される。
【００５３】
本実施例ではゲート素子２２の入力端子を直接接続ラインａ及びｄで制御するものである。フィードバック巻線Ｆに発生する逆起電力は主コンデンサ１５の電圧に応じて高くなる従って抵抗６に並列に接続されたコンデンサ２３は主コンデンサ１５の充電電圧が低い場合トランジスタ９のベースに直接電荷を送るスピードアップコンデンサの役割をなす。このため第２の実施例では抵抗４によりバイアスしていた電流が不用となり、発振も接続ラインｄはロウレベル信号で同様であるが接続ラインａは所定時間ロウレベルとするだけで開始させることができる。
【００５４】
尚、ゲート素子の電源はプルアップ抵抗８及び２１を含め電池電源でも昇圧し定電圧化されたＶｃｃ電源を使用しても良いことは言うまでも無い。
【図面の簡単な説明】
【００５５】
【図１】本発明の第１の実施例を示す回路ブロック図である。
【図２】本発明を説明するためのフローチャートを示す図である。
【図３】本発明のフラッシュシーケンスのフローチャートを示す。
【図４】本発明の第１の実施例を説明するための各部波形を示す図である。
【図５】第２の実施例を示す回路ブロック図である。
【図６】本発明の第２の実施例を説明するための各部波形を示す図である。
【図７】第３の実施例を示す回路ブロック図である。
【図８】本発明の第３の実施例を説明するための各部波形を示す図である。
【符号の説明】
【００５６】
１      電源
２      電源コンデンサ
３      コンデンサ
４，６  抵抗
５      ダイオード
９      トランジスタ
１０，２２  ゲート素子
１２    スイッチ素子
１３    トランス
１５    主コンデンサ
１８    放電管
１９    カメラ制御部
１２５  マイコン
【図１】
2006156199.tif 000003
【図２】
2006156199.tif 000004
【図３】
2006156199.tif 000005
【図４】
2006156199.tif 000006
【図５】
2006156199.tif 000007
【図６】
2006156199.tif 000008
【図７】
2006156199.tif 000009
【図８】
2006156199.tif 000010